(57)【要約】【課題】電気光学装置における端子を削減する。【解決手段】データ線駆動回路は、データ信号を第１分配制御信号にしたがって分配する第１分配スイッチと、データ信号を第２分配制御信号にしたがって分配する第２分配スイッチと、第１データ線とプリチャージ信号線との間に設けられた第１プリチャージスイッチと、第２データ線とプリチャージ信号線との間に設けられた第２プリチャージスイッチと、第１分配制御信号とは異なる分配制御信号または第１プリチャージスイッチのオフ信号を、プリチャージ制御信号にしたがって選択して第１プリチャージスイッチをオンオフさせる第１セレクターと、第２分配制御信号とは異なる分配制御信号または第２プリチャージスイッチのオフ信号を、プリチャージ制御信号にしたがって選択して第２プリチャージスイッチをオンオフさせる第２セレクターと、を含む。【選択図】図５
2020190604.tif 000002
【特許請求の範囲】
【請求項１】
第１データ線とデータ信号が供給される入力ノードとの間に設けられ、第１分配制御信号にしたがってオンまたはオフする第１分配スイッチと、
第２データ線と前記入力ノードとの間に設けられ、第２分配制御信号にしたがってオンまたはオフする第２分配スイッチと、
前記第１データ線とプリチャージ用の電圧が印加されたプリチャージ信号線との間に設けられた第１プリチャージスイッチと、
前記第２データ線と前記プリチャージ信号線との間に設けられた第２プリチャージスイッチと、
前記第１分配制御信号とは異なる分配制御信号または前記第１プリチャージスイッチをオフさせる信号を、プリチャージ制御信号にしたがって選択し、当該選択した信号にしたがって前記第１プリチャージスイッチをオンまたはオフさせる第１セレクターと、
前記第２分配制御信号とは異なる分配制御信号または前記第２プリチャージスイッチをオフさせる信号を、前記プリチャージ制御信号にしたがって選択し、当該選択した信号にしたがって前記第２プリチャージスイッチをオンまたはオフさせる第２セレクターと、
を含むデータ線駆動回路。
【請求項２】
前記プリチャージ制御信号は、
前記第１分配制御信号によって前記第１分配スイッチがオンされる期間内で、
前記第１セレクターに前記第１分配制御信号の選択を指示し、
前記第２分配制御信号によって前記第２分配スイッチがオンされる期間内で、
前記第２セレクターに前記第２分配制御信号の選択を指示する、
請求項１に記載のデータ線駆動回路。
【請求項３】
一水平走査期間の最後に前記第１分配スイッチが前記第１分配制御信号によってオンする場合、
前記第２セレクターは、前記プリチャージ制御信号にしたがって前記第２プリチャージスイッチをオフさせる信号を選択する
請求項１または２に記載のデータ線駆動回路。
【請求項４】
前記第２プリチャージスイッチは、第１トランジスターである、
請求項１乃至３のいずれかに記載のデータ線駆動回路。
【請求項５】
前記第２セレクターは、
第２トランジスターと第３トランジスターとを含み、
前記第２トランジスターは、前記第１トランジスターのゲートノードと、前記第１分配制御信号が供給される制御信号線との間に設けられ、
前記第３トランジスターは、前記第１トランジスターのゲートノードと、当該第１トランジスターをオフさせる電位の信号線との間に設けられ、
前記第２トランジスターと前記第３トランジスターとは、前記プリチャージ制御信号にしたがって排他的にオンまたはオフする
請求項４に記載のデータ線駆動回路。
【請求項６】
前記第２トランジスターのチャネル型と前記第３トランジスターのチャネル型とは、同である
請求項１乃至５のいずれかに記載のデータ線駆動回路。
【請求項７】
前記第２トランジスターのチャネル型と前記第３トランジスターのチャネル型とは、異なる
請求項１乃至５のいずれかに記載のデータ線駆動回路。
【請求項８】
請求項１乃至７のいずれかに記載の前記データ線駆動回路によって駆動される前記第１データ線および前記第２データ線と、
走査線と、
前記第１データ線と前記走査線との交差に対応して設けられた第１画素回路と、
前記第２データ線と前記走査線との交差に対応して設けられた第２画素回路と、
を含む
電気光学装置。
【請求項９】
請求項８に記載の電気光学装置を含む電子機器。
【発明の詳細な説明】
【技術分野】
【０００１】
本発明は、データ線駆動回路、電気光学装置および電子機器に関する。
【背景技術】
【０００２】
表示素子として液晶素子などを用いた電気光学装置では、階調に応じた電圧を有するデータ信号が、データ線を介して表示素子に供給される構成が一般的である。電気光学装置では、データ線に容量が寄生するので、ある表示素子にデータ線を介してデータ信号が供給されるときに、以前に供給されたデータ信号の電圧が残存している。データ線に残存している電圧の影響を少なくするため、データ信号がデータ線に供給される前に、データ線に所定の電圧を印加する技術（プリチャージ）が知られている。
【０００３】
プリチャージには、データ線に、データ信号を供給するルートで、プリチャージ用の電圧を印加した後に、データ信号を供給するというビデオプリチャージが知られている。ただし、ビデオプリチャージでは、１本の走査線が選択される一水平走査期間のうち、１本のデータ線でみたときに、プリチャージの期間の分、データ信号を供給する期間が短くなるので、近年では、ある１本のデータ線にデータ信号を供給する期間に、別のデータ線をプリチャージするという順次プリチャージが提案されている（特許文献１参照）。
【先行技術文献】
【特許文献】
【０００４】
【特許文献１】特開２０１５−１０６１０８号公報
【発明の概要】
【発明が解決しようとする課題】
【０００５】
しかしながら、順次プリチャージでは、制御信号が多くなるので、ＦＰＣ基板と、電気光学装置と、特にデータ線をプリチャージした後に、当該データ線にデータ信号を供給するデータ線駆動回路と、を接続するための端子が増加する、という課題がある。
【課題を解決するための手段】
【０００６】
上記課題を解決するために、本開示の一態様に係るデータ線駆動回路は、第１データ線とデータ信号が供給される入力ノードとの間に設けられ、第１分配制御信号にしたがってオンまたはオフする第１分配スイッチと、第２データ線と前記入力ノードとの間に設けられ、第２分配制御信号にしたがってオンまたはオフする第２分配スイッチと、前記第１データ線とプリチャージ用の電圧が印加されたプリチャージ信号線との間に設けられた第１プリチャージスイッチと、前記第２データ線と前記プリチャージ信号線との間に設けられた第２プリチャージスイッチと、前記第１分配制御信号とは異なる分配制御信号または前記第１プリチャージスイッチをオフさせる信号を、プリチャージ制御信号にしたがって選択し、当該選択した信号にしたがって前記第１プリチャージスイッチをオンまたはオフさせる第１セレクターと、前記第２分配制御信号とは異なる分配制御信号または前記第２プリチャージスイッチをオフさせる信号を、前記プリチャージ制御信号にしたがって選択し、当該選択した信号にしたがって前記第２プリチャージスイッチをオンまたはオフさせる第２セレクターと、を含む。
【図面の簡単な説明】
【０００７】
【図１】第１実施形態に係る電気光学装置を含む表示モジュールを示す斜視図である。
【図２】電気光学装置に設けられる要素の配置を示す図である。
【図３】電気光学装置の電気的な構成を示すブロック図である。
【図４】電気光学装置における画素回路の構成を示す図である。
【図５】電気光学装置におけるデータ線駆動回路の構成を示す図である。
【図６】電気光学装置の動作を説明するための図である。
【図７】電気光学装置の動作を説明するための図である。
【図８】電気光学装置におけるプリチャージ等の動作を説明するための図である。
【図９】電気光学装置におけるプリチャージ等の動作を説明するための図である。
【図１０】第２実施形態に係る電気光学装置の動作を説明するための図である。
【図１１】第３実施形態に係る電気光学装置のデータ線駆動回路の構成を示す図である。
【図１２】電気光学装置を用いた電子機器の一例を示す図である。
【図１３】比較例に係る電気光学装置のデータ線駆動回路の構成を示す図である。
【発明を実施するための形態】
【０００８】
以下、実施形態に電気光学装置について図面を参照して説明する。なお、各図において、各部の寸法および縮尺は、実際のものと適宜に異ならせてある。また、以下に述べる実施の形態は、好適な具体例であるから、技術的に好ましい種々の限定が付されているが、本開示の範囲は、以下の説明において特に本開示を限定する旨の記載がない限り、これらの形態に限られるものではない。
【０００９】
図１は、第１実施形態に係る電気光学装置１００を含む表示モジュール１の構成を示す斜視図である。
電気光学装置１００は、例えば液晶プロジェクターのライトバルブとして用いられる透過型の液晶パネルである。電気光学装置１００は、表示領域で開口する枠状のケース７２に収納される。電気光学装置１００には、ＦＰＣ基板７４の一端が接続されている。なお、ＦＰＣは、Flexible Printed Circuitsの略語である。ＦＰＣ基板７４の他端には、複数の端子７６が設けられて、図示省略された上位回路に接続される。
【００１０】
ＦＰＣ基板７４には、半導体チップの表示制御回路２００が実装されるとともに、当該上位回路から複数の端子７６を介して映像データが同期信号に同期して供給される。映像データとは、表示すべき画像における画素の階調レベルを例えば８ビットで規定する。
なお、電気光学装置１００が液晶プロジェクターのライトバルブとして用いられる場合、後述するように原色であるＲ（赤）、Ｇ（緑）、Ｂ（青）に対応する３つの電気光学装置１００による透過像が合成されて、カラー画像が表現される。したがって、この場合、厳密にいえば、１つの電気光学装置１００における画素とは、カラー画像における１画素を構成する３つの原色のサブ画素のうち、いずれかをいう。
【００１１】
また、同期信号には、表示領域において配列する画素回路の走査開始を指示する垂直同期信号や、上記配列における１行の水平走査の開始を指示する水平同期信号、および、映像データの１画素分のタイミングを示すクロック信号が含まれる。
表示制御回路２００は、映像データおよび同期信号を処理して、電気光学装置１００の駆動に必要なデータ信号および制御信号を出力する。データ信号は、映像データをアナログに変換した信号であり、制御信号は、電気光学装置１００において垂直走査および水平走査するための信号である。
なお、表示制御回路２００については、ＦＰＣ基板７４に実装されるのではなく、上位回路に設けられて、映像信号および制御信号が端子７６を介して供給される構成としてもよい。
【００１２】
図３は、表示モジュール１の電気的な構成を示すブロック図である。表示モジュール１は、電気光学装置１００と表示制御回路２００とを含む。電気光学装置１００には、表示領域１０の周縁に、走査線駆動回路１３０、データ線駆動回路１６０および検査回路１７０が設けられている。
電気光学装置１００は、薄膜トランジスター等が形成された素子基板と、コモン電極が形成された対向基板とで液晶を封止した構成であり、走査線駆動回路１３０、データ線駆動回路１６０および検査回路１７０が、素子基板に形成される。
【００１３】
電気光学装置１００の表示領域１０においては、表示すべき画像の画素に対応した画素回路１１０がマトリクス状に配列されている。詳細には、表示領域１０において、ｍ本の走査線１２が図において横方向に延在して設けられ、また、８列毎にグループ化された（８ｎ）列のデータ線１４が図において縦方向に延在し、かつ、走査線１２と互いに電気的な絶縁を保って設けられている。そして、ｍ本の走査線１２と（８ｎ）本のデータ線１４との交差に対応して画素回路１１０が設けられる。したがって、本実施形態において画素回路１１０は、縦ｍ行×横（８ｎ）列でマトリクス状に配列される。
【００１４】
ここで、ｍ、ｎは、いずれも２以上の整数である。走査線１２と画素回路１１０とにおいて、マトリクスの行を区別するために、図において上から順に１、２、３、…、（ｍ−１）、ｍ行と呼ぶ場合がある。同様にデータ線１４および画素回路１１０において、マトリクスの列を区別するために、図において左から順に１、２、３、…、（８ｎ−１）、（８ｎ）列と呼ぶ場合がある。
【００１５】
説明の便宜上、画素回路１１０の構成について図４を参照して説明する。図４は、隣り合う２本の走査線１２と、隣り合う２本のデータ線１４との交差に対応する２×２の計４個の、画素回路１１０の等価回路を示す図である。
図に示されるように、画素回路１１０は、トランジスター１１６と液晶素子１２０とを有する。トランジスター１１６は、例えばｎチャネル型の薄膜トランジスターである。画素回路１１０において、トランジスター１１６のゲートノードは、走査線１２に接続される一方、そのソースノードはデータ線１４に接続され、そのドレインノードは画素電極１１８に接続される。
【００１６】
画素電極１１８に対向するようにコモン電極１０８が全画素に対して共通に設けられるとともに、時間的にほぼ一定の電圧ＬＣcomが印加される。そして、画素電極１１８とコモン電極１０８との間には液晶１０５が挟持される。したがった、画素回路１１０毎に、画素電極１１８、コモン電極１０８および液晶１０５によって液晶素子１２０が構成される。
また、液晶素子１２０に対して並列に蓄積容量１０９が設けられる。蓄積容量１０９は、一端が画素電極１１８に接続され、他端が容量線１０７に接続されている。容量線１０７は、時間的に一定の電圧、例えばコモン電極１０８への印加電圧と同じ電圧ＬＣcomが印加される。
【００１７】
説明を再び図３に戻すと、表示制御回路２００は、上位回路から供給された映像データおよび同期信号を処理して、データ信号Ｖid(1)、Ｖid（2)、Ｖid(3)、…、Ｖid(n)、制御信号Ｓel(1)〜Ｓel(8)、Ｐsel_EnbおよびＰsel_Enbxを出力する。
なお、制御信号Ｓel(1)〜Ｓel(8)は、８本の制御信号線１８０を介して供給される。また、制御信号Ｐsel_Enbの論理レベルおよび制御信号Ｐsel_Enbxの論理レベルとは互いに排他的な関係にある。
【００１８】
走査線駆動回路１３０は、表示制御回路２００の制御にしたがって一垂直走査期間にわたってｍ行の走査線１２を１本ずつ、一水平走査期間毎に順番に選択し、選択した走査線１２への走査信号をＨレベルとする。なお、走査線駆動回路１３０は、選択した走査線１２以外の走査線１２への走査信号をＬレベルとする。
ここで、１行目の走査線１２に供給される走査信号をＧwr(1)と表記し、以降同様に２、３、…、ｍ行目の走査線１２に供給される走査信号をＧwr(2)、Ｇwr(3)、…、Ｇwr(m)と表記する。
なお、表示制御回路２００は、走査線駆動回路１３０を制御するための制御信号を出力するが、走査線駆動回路１３０への制御信号は本件では重要ではないので、信号経路のみ図示し、走査線駆動回路１３０の制御信号の詳細な説明については省略する。
【００１９】
データ線駆動回路１６０は、デマルチプレクサ１４０およびプリチャージ回路１５０を含む。
このうち、デマルチプレクサ１４０は、グループ化された８本のデータ線１４に、データ信号を、制御信号Ｓel(1)〜Ｓel(8)にしたがって分配する。
プリチャージ回路１５０は、制御信号Ｓel(1)〜Ｓel(8)、Ｐsel_EnbおよびＰsel_Enbxにしたがって、データ線１４をプリチャージする。
なお、図３において、２番目のグループから（Ｎ−１）番目のグループまでのデータ線１４については、紙面スペースの関係上、省略する。
【００２０】
検査回路１７０は、（８ｎ）本のデータ線１４の断線や、隣り合うデータ線１４同士の短絡などを検査する。なお、検査回路１７０については、データ信号に基づく表示時には動作しないので、詳細な説明については省略する。
【００２１】
図３は、電気光学装置１００の電気的な構成を示すための図であり、実際には、電気光学装置１００における各要素は、図２に示されるように配置する。
詳細には、電気光学装置１００において、走査線１２の延在方向をＸ方向とし、データ線１４の延在方向をＹ方向とした場合、表示領域１０は、例えばＸ方向がＹ方向よりも長い矩形形状となる。
電気光学装置１００における長手の一辺にはＦＰＣ７４の一端が接続される。ＦＰＣ７４の一端から表示領域１０までの間には、デマルチプレクサ１４０およびプリチャージ回路１５０が設けられる一方、表示領域１０を挟んだ位置には、検査回路１７０が設けられる。
【００２２】
表示領域１０におけるＹ方向に沿った２辺の外にはそれぞれ走査線駆動回路１３０が設けられる。すなわち、走査線駆動回路１３０が実際には２つ設けられて、走査線１２に両端から走査信号が供給される構成となっている。このような構成となっている理由は、一端のみから走査信号を供給する場合と比較して、走査信号の遅延による表示への影響を抑えることができるためである。なお、２つの走査線駆動回路１３０には、表示制御回路２００から同じ制御信号が供給される。
【００２３】
制御信号Ｓel(1)〜Ｓel(8)、Ｐsel_EnbおよびＰsel_Enbxは、図３では、一端から供給されている。なお、制御信号Ｓel(1)〜Ｓel(8)、Ｐsel_EnbおよびＰsel_Enbxは、走査信号と同様に、図２に示されるように、遅延による影響を抑えるために、両端から供給される構成としてもよい。制御信号Ｓel(1)〜Ｓel(8)、Ｐsel_EnbおよびＰsel_Enbxが両端から供給される場合、電気光学装置１００においてＦＰＣ７４に接続するための端子の個数は、制御信号Ｓel(1)〜Ｓel(8)については信号数の倍の「１６」であり、制御信号Ｐsel_EnbおよびＰsel_Enbxについても倍の「４」である。なお、図２における配線を示す実線は、実際には、複数本を示している。
【００２４】
図５は、データ線駆動回路１６０の構成を示す図である。データ線駆動回路１６０は、グループ化された８本のデータ線１４を１つの単位とした構成となっているので、ｊ番目のグループを例にとって説明する。
【００２５】
図５において、ｊ番目のグループには、８本のデータ線１４、詳細には、（８ｊ−７）列目、（８ｊ−６）列目、（８ｊ−５）列目、…、（８ｊ）列目のデータ線１４が属している。
データ線１４については、グループ内で特定して説明するために、（８ｊ−７）列目を第１系列Ｓ１と表記し、（８ｊ−６）列目を第２系列Ｓ２と表記し、（８ｊ−５）列目を第３系列Ｓ３と表記し、以下同様にして（８ｊ）列目を第８系列Ｓ８と表記する。
例えば（８ｊ−７）列目のデータ線１４については、第１系列Ｓ１のデータ線１４と表記し、（８ｊ−６）列目のデータ線１４については、第２系列Ｓ２のデータ線１４と表記する場合がある。
【００２６】
なお、第１系列Ｓ１のデータ線１４は第１データ線の一例であり、第２系列Ｓ２のデータ線１４は第２データ線の一例である。また、図５では図示されていないが、ある１本の走査線１２と第１系列Ｓ１のデータ線１４との交差に対応して設けられる画素回路１１０が第１画素回路の一例であり、当該走査線１２と第２系列Ｓ２のデータ線１４との交差に対応して設けられる画素回路１１０が第２画素回路の一例である。
【００２７】
デマルチプレクサ１４０は、トランジスターＱ１１〜Ｑ１８を含む。プリチャージ回路１５０は、トランジスターＱ２１〜Ｑ２８、Ｑ３１〜Ｑ３８、Ｑ４１〜Ｑ４８を含む。本実施形態において、トランジスターＱ１１〜Ｑ１８、Ｑ２１〜Ｑ２８、Ｑ３１〜Ｑ３８、Ｑ４１〜Ｑ４８は、画素回路１１０におけるトランジスター１１６と同様に形成されたｎチャネル型の薄膜トランジスターである。
【００２８】
デマルチプレクサ１４０において、トランジスターＱ１１〜Ｑ１８におけるソースノードは、ノードＮ(j)に共通接続される。ノードＮ(j)には、ｊ番目のブロックに対応したデータ信号Ｖid(j)が入力される。なお、ノードＮ(j)は、入力ノードの一例である。
トランジスターＱ１１におけるゲートノードには、制御信号Ｓel(1)が供給され、トランジスターＱ１１におけるドレインノードは、第１系列Ｓ１のデータ線１４に接続される。なお、トランジスターＱ１１は、第１分配スイッチの一例である。トランジスターＱ１１は、制御信号Ｓel(1)がＨレベルであればオンし、制御信号Ｓel(1)がＬレベルであればオフするので、制御信号Ｓel(1)が第１分配制御信号の一例である。
【００２９】
トランジスターＱ１２におけるゲートノードには、制御信号Ｓel(2)が供給され、トランジスターＱ１２におけるドレインノードは、第２系列Ｓ２のデータ線１４に接続される。なお、トランジスターＱ１２は、第２分配スイッチの一例である。トランジスターＱ１２は、制御信号Ｓel(2)がＨレベルであればオンし、制御信号Ｓel(2)がＬレベルであればオフするので、制御信号Ｓel(2)が第２分配制御信号の一例である。
【００３０】
以下同様に、トランジスターＱ１８におけるゲートノードには、制御信号Ｓel(8)が供給され、トランジスターＱ１８におけるドレインノードは、第８系列Ｓ８のデータ線１４に接続される。
【００３１】
すなわち、一般的にいえば、第ｋ系列において、トランジスターＱ１ｋにおけるゲートノードには、制御信号Ｓel(k)が供給され、トランジスターＱ１ｋにおけるドレインノードは、第ｋ系列Ｓｋのデータ線１４に接続される。
【００３２】
プリチャージ回路１５０において、トランジスターＱ４１〜Ｑ４８およびセレクターＳc1〜Ｓc8を含む。
トランジスターＱ４１にあっては、ゲートノードがセレクターＳc1の出力端に接続され、ソースノードが、信号線１５２に接続され、ドレインノードが第１系列Ｓ１のデータ線１４に接続される。なお、トランジスターＱ４１は、第１プリチャージスイッチの一例である。
信号線１５２には、プリチャージ用として電圧Ｖpcgの信号が供給される。なお、信号線１５２は、プリチャージ信号線の一例である。
【００３３】
トランジスターＱ４２にあっては、ゲートノードがセレクターＳc2の出力端に接続され、ソースノードが、信号線１５２に接続され、ドレインノードが第２系列Ｓ２のデータ線１４に接続される。なお、トランジスターＱ４２は、第２プリチャージスイッチおよび第１トランジスターの一例である。
以下同様に、トランジスターＱ４８にあっては、ゲートノードがセレクターＳc8の出力端に接続され、ソースノードが、信号線１５２に接続され、ドレインノードが第８系列Ｓ８のデータ線１４に接続される。
すなわち、一般的にいえば、第ｋ系列において、トランジスターＱ４ｋにあっては、ゲートノードが当該第ｋ系列のセレクターの出力端に接続され、ソースノードが、信号線１５２に接続され、ドレインノードが第ｋ系列のデータ線１４に接続される。
なお便宜的に、トランジスターＱ４１のゲートノードをＰsel(1)と表記し、同様に、トランジスターＱ４２〜Ｑ４８のゲートノードをＰsel(2)〜Ｐsel(8)と表記する。
【００３４】
セレクターＳc1は、トランジスターＱ４１をオフにさせる信号、または、制御信号Ｓel(8)のいずれかを、制御信号Ｐsel_EnbおよびＰsel_Enbxにしたがって選択し、当該選択した信号をトランジスターＱ４１のゲートノードＰsel(1)に供給する。トランジスターＱ４１は、本実施形態ではｎチャネル型であるので、当該トランジスターＱ４１をオフにさせる信号とは、例えば接地電位の信号、すなわち電圧ゼロであるＬレベルの信号である。なお、セレクターＳc1は、第１セレクターの一例であり、制御信号Ｐsel_EnbおよびＰsel_Enbxは、プリチャージ制御信号の一例である。
セレクターＳc1は、トランジスターＱ２１およびＱ３１を含む。トランジスターＱ２１にあっては、ソースノードに制御信号Ｓel(8)が供給され、ゲートノードに制御信号Ｐsel_Enbが供給される。なお、制御信号Ｓel(8)は、第１分配制御信号とは異なる分配制御信号の一例である。
トランジスターＱ３１にあっては、ソースノードが接地され、ゲートノードに制御信号Ｐsel_Enbxが供給される。トランジスターＱ２１のドレインノードおよびトランジスターＱ３１のドレインノードは接続されて、当該接続点がセレクターＳc1の出力端となっている。なお、トランジスターＱ３１のソースノードに接続された接地電位の信号が、第１プリチャージスイッチをオフにさせる信号の一例である。
【００３５】
セレクターＳc2は、トランジスターＱ４２をオフにさせる信号、または、制御信号Ｓel(1)のいずれかを、制御信号Ｐsel_EnbおよびＰsel_Enbxにしたがって選択し、当該選択した信号をトランジスターＱ４２のゲートノードＰsel(2)に供給する。なお、セレクターＳc2は、第２セレクターの一例である。
セレクターＳc2は、トランジスターＱ２２およびＱ３２を含む。トランジスターＱ２２にあっては、ソースノードに制御信号Ｓel(1)が供給され、ゲートノードに制御信号Ｐsel_Enbが供給される。なお、制御信号Ｓel(1)は、第２分配制御信号とは異なる分配制御信号の一例である。
トランジスターＱ３２にあっては、ソースノードが接地され、ゲートノードに制御信号Ｐsel_Enbxが供給される。トランジスターＱ２２のドレインノードおよびトランジスターＱ３２のドレインノードは接続されて、当該接続点が、セレクターＳc2の出力端となっている。なお、トランジスターＱ３２のソースノードに接続された接地電位の信号が、第２プリチャージスイッチをオフにさせる信号の一例であり、トランジスターＱ２２は、第２トランジスターの一例であり、トランジスターＱ３２は、第３トランジスターの一例である。
以下同様に、セレクターＳc8は、トランジスターＱ４８をオフにさせる信号、または、制御信号Ｓel(7)のいずれかを、制御信号Ｐsel_EnbおよびＰsel_Enbxにしたがって選択し、当該選択した信号をトランジスターＱ４８のゲートノードＰsel(8)に供給する。
すなわち、一般的にいえば、ｋを２以上８以下の整数とした場合に第ｋ系列におけるセレクターにあっては、トランジスターＱ４ｋをオフにさせる信号、または、制御信号Ｓel(k-1)のいずれかを、制御信号Ｐsel_EnbおよびＰsel_Enbxにしたがって選択し、当該選択した信号をトランジスターＱ４ｋのゲートノードＰsel(k)に供給する。なお、ｋが１であれば、上述したようにセレクターＳc1が、トランジスターＱ４１をオフにさせる信号、または、制御信号Ｓel(8)のいずれかを選択する。
【００３６】
制御信号Ｐsel_EnbおよびＰsel_Enbxは表示制御回路２００によって互いに排他的な論理レベルとなる信号である。制御信号Ｐsel_EnbがＨレベルであり、制御信号Ｐsel_EnbxがＬレベルである場合、トランジスターＱ２１〜Ｑ２８はオンし、トランジスターＱ３１〜Ｑ３８はオフするので、セレクターＳc1は制御信号Ｓel(8)を選択し、セレクターＳc2〜Ｓc8は、制御信号Ｓel(1)〜Ｓel(7)を選択する。
したがって、制御信号Ｐsel_EnbがＨレベルであって、制御信号Ｓel(1)〜Ｓel(8)のうち、制御信号Ｓel(1)のみがＨレベルである場合、デマルチプレクサ１４０では、トランジスターＱ１１がオンして、ノードＮ(j)に入力されたデータ信号Ｖid(j)が、第１系列Ｓ１のデータ線１４に供給される。また、この場合、プリチャージ回路１５０では、セレクターＳc2が、Ｈレベルの制御信号Ｓel(1)を選択し、他のセレクターは、Ｌレベルの制御信号Ｓel(2)〜Ｓel(8)を選択するので、トランジスターＱ４１〜Ｑ４８のうち、トランジスターＱ４２のみがオンする。トランジスターＱ４２のオンによって、第２系列Ｓ２のデータ線１４が電圧Ｖpcgにプリチャージされる。
【００３７】
また、制御信号Ｐsel_EnbがＨレベルであって、制御信号Ｓel(2)がＨレベルである場合、トランジスターＱ１２がオンして、データ信号Ｖid(j)が第２系列Ｓ２のデータ線１４に供給されるとともに、トランジスターＱ４３のオンによって第３系列Ｓ３のデータ線１４が電圧Ｖpcgにプリチャージされる。以下同様に、制御信号Ｐsel_EnbがＨレベルであって、制御信号Ｓel(8)がＨレベルである場合、トランジスターＱ１８のオンによってデータ信号Ｖid(j)が第８系列Ｓ８のデータ線１４に供給されるとともに、トランジスターＱ４１のオンによって第１系列Ｓ１のデータ線１４が電圧Ｖpcgにプリチャージされる。
すなわち、一般的にいえば、制御信号Ｐsel_EnbがＨレベルであって、制御信号Ｓel(k)がＨレベルである場合、データ信号Ｖid(j)が第ｋ系列Ｓｋのデータ線１４に供給されるとともに、第（ｋ＋１）系列のデータ線１４がプリチャージされる。ただし、ｋが８であれば、上述したように第１系列Ｓ１のデータ線１４がプリチャージされる。
【００３８】
図６および図７は、電気光学装置１００の動作を説明するための図である。詳細には、図６は、一垂直走査期間（Ｖ）における走査線駆動回路１３０の動作を示す図であり、図７は、一水平走査期間（Ｈ）におけるデータ線駆動回路１６０の動作を示す図である。
図６に示されるように、走査線駆動回路１３０は、表示制御回路２００による制御にしたがって、一垂直走査期間（Ｖ）にわたって、走査線１２を１、２、３、…、ｍ行目という順番で水平走査する。詳細には、表示制御回路２００は、図６に示されるように、走査信号Ｇwr(1)、Ｇwr(2)、Ｇwr(3)、…、Ｇwr(m)を、一水平走査期間（Ｈ）毎に、順次排他的にＨレベルにして出力する。
【００３９】
さて、ｉ行目の走査線１２が選択される一水平走査期間（Ｈ）では、走査信号Ｇwr(i)がＨレベルになるので、当該ｉ行目に対応して設けられる（８ｎ）個の画素回路１１０において、トランジスター１１６がオンする。トランジスター１１６のオンにより、データ線１４と画素電極１１８とが電気的に接続された状態となるので、データ線１４に供給されたデータ信号が、オンしたトランジスター１１６を介して画素電極１１８に到達する。走査線１２がＬレベルになると、トランジスター１１６はオフになるが、画素電極１１８に到達したデータ信号の電圧は、液晶素子１２０の容量性および蓄積容量１０９によって保持される。
周知のように、液晶素子１２０では、画素電極１１８およびコモン電極１０８によって生じる電界に応じて液晶１０５の配向状態が変化する。したがって、液晶素子１２０は、印加された電圧の実効値に応じた透過率となる。すなわち、電気光学装置１００では、画素回路１１０の液晶素子１２０毎に透過率が変化する。
なお、このような液晶素子１２０への電圧保持動作が、ｉ行目に対応して設けられる（８ｎ）個の画素回路１１０の各々についてそれぞれ実行される。さらに、このような電圧保持動作が、１、２、３、…、ｍ行目という順番で実行されることによって、ｍ行（８ｎ）列で配列する画素回路１１０の液晶素子１２０の各々にデータ信号に応じた電圧が保持される結果、各液晶素子１２０が目的とする透過率となる。
【００４０】
図７は、走査信号Ｇwr(i)がＨレベルになる一水平走査期間（Ｈ）において、制御信号Ｓel(1)〜Ｓel(8)が、この順で排他的にＨレベルとなる例を示している。すなわち、図７では、制御信号Ｓel(1)〜Ｓel(8)のうち、Ｈレベルとなる順序の起点が、制御信号Ｓel(1)である例を示している。実際には後述するように、制御信号Ｓel(1)〜Ｓel(8)のうち、Ｈレベルとなる順序の起点が、一水平走査期間毎に、制御信号Ｓel(1)→Ｓel(2)→Ｓel(3)→…→Ｓel(8)のようにシフトして、再び起点が制御信号Ｓel(1)に戻る。
また、制御信号Ｐsel_Enbは、制御信号Ｓel(1)〜Ｓel(8)のうち、最後にＨレベルとなる期間のみを含む期間、図７の例でいえば、制御信号Ｓel(8)のみがＨレベルとなる期間Ｔaを含む期間ＴbにＬレベルとなり、他の期間でＨレベルとなる。
【００４１】
一水平走査期間（Ｈ）において、制御信号Ｓel(1)〜Ｓel(8)、制御信号Ｐsel_EnbおよびＰsel_Enbxが図７に示されるような波形となる場合、データ線駆動回路１６０によって次のように、データ信号がデータ線１４に分配されるとともに、データ線１４がプリチャージされる。
制御信号Ｐsel_EnbがＨレベルであり、制御信号Ｐsel_EnbxがＬである期間では、セレクターＳc1は制御信号Ｓel(1)を選択し、以下同様にセレクターＳc2〜Ｓc8は、Ｓel(2)〜Ｓel(8)を選択する。したがって、ゲートノードＰsel(2)〜Ｐsel(8)およびＰsel(1)には、この順に制御信号Ｓel(1)〜Ｓel(8)が供給される。
【００４２】
詳細には、制御信号Ｓel(1)がＨレベルとなる期間では、トランジスターＱ２１がオンすることによって、データ信号Ｖid(j)が第１系列Ｓ１のデータ線１４に供給されるとともに、ゲートノードＰsel(2)がＨレベルとなるので、トランジスターＱ４２がオンして、第２系列Ｓ２のデータ線１４がプリチャージされる。すなわち、制御信号Ｓel(1)がＨレベルとなる期間では、第１系列Ｓ１のデータ線１４へのデータ信号Ｖid(j)の供給と、次の第２系列Ｓ２のデータ線１４に対するプリチャージとが同時並行的に実行される。
次に、制御信号Ｓel(2)がＨレベルとなる期間では、トランジスターＱ２１がオンすることによって、データ信号Ｖid(j)が第２系列Ｓ２のデータ線１４に供給されるとともに、ゲートノードＰsel(3)がＨレベルとなるので、トランジスターＱ４３がオンして、第３系列Ｓ３のデータ線１４がプリチャージされる。すなわち、制御信号Ｓel(2)がＨレベルとなる期間では、第２系列Ｓ２のデータ線１４へのデータ信号Ｖid(j)の供給と、次の第３系列Ｓ３のデータ線１４に対するプリチャージとが同時並行的に実行される。
以下同様に、制御信号Ｓel(7)がＨレベルとなる期間では、第７系列Ｓ７のデータ線１４へのデータ信号Ｖid(j)の供給と、次の第８系列Ｓ８のデータ線１４に対するプリチャージとが同時並行的に実行される。
【００４３】
制御信号Ｓel(8)がＨレベルとなる期間Ｔaでは、制御信号Ｐsel_EnbがＬレベルであり、制御信号Ｐsel_EnbxがＨであるので、セレクターＳc1〜Ｓc8は、電圧ゼロの信号を選択する。したがって、ゲートノードＰsel(1)〜Ｐsel(8)は、すべて電圧ゼロ、すなわちＬレベルとなる。
このように制御信号Ｓel(8)がＨレベルとなる期間Ｔaでは、図７においてＡで示されるように、ゲートノードＰsel(1)は、制御信号Ｓel(8)ではなく、Ｌレベルとなる。
したがって、一水平走査期間（Ｈ）において、制御信号Ｓel(1)〜Ｓel(8)のうち、最後に制御信号Ｓel(8)がＨレベルとなる期間Ｔaでは、第８系列Ｓ８のデータ線１４へのデータ信号Ｖid(j)の供給は実行されるが、第１系列Ｓ１のデータ線１４に対するプリチャージは実行されない。
【００４４】
図７に示される一水平走査期間（Ｈ）の動作が、次の一水平走査期間（Ｈ）でも繰り返されると、次のような問題が生じる。すなわち、次の一水平走査期間（Ｈ）において、第１系列Ｓ１のデータ線１４には、プリチャージされない状態で、データ信号が供給されるのに対し、他の第２系列Ｓ２〜第８系列Ｓ８のデータ線１４には、プリチャージ後に、データ信号が供給される。したがって、第１系列Ｓ１のデータ線１４と、第２系列Ｓ２〜第８系列Ｓ８のデータ線１４とでは、データ信号の供給条件が異なってしまうので、表示ムラの原因となる。
そこで、本実施形態では、次のように、プリチャージされないデータ線１４を時間的に順次シフトすることによって、表示ムラを目立たなくする構成となっている。
【００４５】
図８および図９は、連続する八水平走査期間において第１系列Ｓ１から第８系列Ｓ８までにおけるデータ信号Ｖidの供給とプリチャージＰcgとの動作タイミングを示す図である。なお、八水平走査期間とは、ｉ行目の走査線１２が選択される一水平走査期間Ｈ（ｉ）から、（ｉ＋７）行目の走査線１２が選択される一水平走査期間Ｈ（ｉ＋７）までの期間である。
【００４６】
ここで、一水平走査期間Ｈ（ｉ）は、図７におけるデータ信号Ｖidの供給とプリチャージＰcgとの動作タイミングを簡略化して示す図となる。詳細には、制御信号Ｓel(1)のＨレベルによって、第１系列Ｓ１に対するデータ信号Ｖidの供給と第２系列Ｓ２に対するプリチャージＰcgとが実行され、次に、制御信号Ｓel(2)のＨレベルによって、第２系列Ｓ２に対するデータ信号Ｖidの供給と第３系列Ｓ３に対するプリチャージＰcgとが実行される。以下同様に、制御信号Ｓel(7)のＨレベルによって、第７系列Ｓ７に対するデータ信号Ｖidの供給と第８系列Ｓ８に対するプリチャージＰcgとが実行される。制御信号Ｓel(8)のＨレベルと制御信号Ｐsel_EnbのＬレベルと制御信号Ｐsel_EnbxのＨレベルとによって第８系列Ｓ８に対するデータ信号Ｖidの供給のみが実行され、第１系列Ｓ１に対するプリチャージＰcgは実行されない。
【００４７】
一水平走査期間Ｈ（ｉ＋１）において、表示制御回路２００は、制御信号Ｓel(1)〜Ｓel(8)のうち、Ｈレベルとなる順序の起点をＳel(2)として、制御信号Ｓel(2)〜Ｓel(8)、Ｓel(1）の順でＨレベルとする。なお、表示制御回路２００は、当該順にしたがってデータ信号の供給順を変更する。
一水平走査期間Ｈ（ｉ＋１）では、制御信号Ｓel(2)のＨレベルによって、第２系列Ｓ２に対するデータ信号Ｖidの供給と第３系列Ｓ３に対するプリチャージＰcgとが実行され、次に、制御信号Ｓel(3)のＨレベルによって、第３系列Ｓ３に対するデータ信号Ｖidの供給と第４系列Ｓ４に対するプリチャージＰcgとが実行される。以下同様に、制御信号Ｓel(8)のＨレベルによって、第８系列Ｓ８に対するデータ信号Ｖidの供給と第１系列Ｓ１に対するプリチャージＰcgとが実行され、制御信号Ｓel(1)のＨレベルと制御信号Ｐsel_EnbのＬレベルと制御信号Ｐsel_EnbxのＨレベルとによって第１系列Ｓ１に対するデータ信号Ｖidのみが実行されて、第２系列Ｓ２に対するプリチャージＰcgが実行されない。
すなわち、一水平走査期間Ｈ（ｉ＋１）において、最後に制御信号Ｓel(1)がＨレベルとなる場合、トランジスターＱ１１のオンによって、第１系列Ｓ１のデータ線１４にデータ信号Ｖidが分配される。ただし、セレクターＳc2では、制御信号Ｐsel_EnbのＬレベルによってトランジスターＱ２２がオフし、制御信号Ｐsel_EnbxのＨレベルによってトランジスターＱ３２がオンするので、トランジスターＱ４２がオフする結果、第２系列Ｓ２のデータ線１４に対するプリチャージは実行されない。
【００４８】
一水平走査期間Ｈ（ｉ＋２）において、表示制御回路２００は、制御信号Ｓel(1)〜Ｓel(8)のうち、Ｈレベルとなる順序の起点をＳel(3)として、制御信号Ｓel(3)〜Ｓel(8)、Ｓel(1）、Ｓel(2)の順でＨレベルとする。なお、表示制御回路２００は、当該順にしたがってデータ信号の供給順を変更する。
一水平走査期間Ｈ（ｉ＋２）では、制御信号Ｓel(3)のＨレベルによって、第３系列Ｓ３に対するデータ信号Ｖidの供給と第４系列Ｓ４に対するプリチャージＰcgとが実行され、次に、制御信号Ｓel(4)のＨレベルによって、第４系列Ｓ４に対するデータ信号Ｖidの供給と第５系列Ｓ５に対するプリチャージＰcgとが実行される。以下同様に、制御信号Ｓel(1)のＨレベルによって、第１系列Ｓ１に対するデータ信号Ｖidの供給と第２系列Ｓ２に対するプリチャージＰcgとが実行され、制御信号Ｓel(2)のＨレベルと制御信号Ｐsel_EnbのＬレベルと制御信号Ｐsel_EnbxのＨレベルとによって第２系列Ｓ２に対するデータ信号Ｖidのみが実行されて、第３系列Ｓ３に対するプリチャージＰcgが実行されない。
【００４９】
以降同様に、表示制御回路２００は、制御信号Ｓel(1)〜Ｓel(8)のうち、Ｈレベルとなる順序の起点を順次シフトする。
一水平走査期間Ｈ（ｉ＋７）において、表示制御回路２００は、制御信号Ｓel(8)、Ｓel(1)〜Ｓel(7)の順でＨレベルとする。
一水平走査期間Ｈ（ｉ＋７）では、制御信号Ｓel(8)のＨレベルによって、第８系列Ｓ８に対するデータ信号Ｖidの供給と第１系列Ｓ１に対するプリチャージＰcgとが実行され、次に、制御信号Ｓel(1)のＨレベルによって、第１系列Ｓ１に対するデータ信号Ｖidの供給と第２系列Ｓ２に対するプリチャージＰcgとが実行される。以下同様に、制御信号Ｓel(6)のＨレベルによって、第６系列Ｓ６に対するデータ信号Ｖidの供給と第７系列Ｓ７に対するプリチャージＰcgとが実行され、制御信号Ｓel(7)のＨレベルと制御信号Ｐsel_EnbのＬレベルと制御信号Ｐsel_EnbxのＨレベルとによって第７系列Ｓ７に対するデータ信号Ｖidのみが実行されて、第８系列Ｓ８に対するプリチャージＰcgが実行されない。
【００５０】
このように本実施形態によれば、一水平走査期間（Ｈ）において、ある系列に対するデータ信号の供給と、次系列に対するプリチャージとが順次実行されるが、制御信号Ｓel(1)〜Ｓel(8)において最後にＨレベルとなる期間Ｔaでは、データ信号Ｖidの供給のみが実行され、プリチャージＰcgが実行されない。ここで、プリチャージＰcgが実行されない系列は、固定ではなく、一水平走査期間（Ｈ）毎に順次シフトするので、プリチャージＰcgが実行されないことに起因する表示ムラが目立つことはない。
【００５１】
なお、制御信号Ｓel(1)〜Ｓel(8)のうち、Ｈレベルとなる順序の起点となる制御信号において当該Ｈレベルの期間を、他の制御信号がＨレベルとなる期間より長くしてもよい。例えば図７に示されるように、制御信号Ｓel(1)〜Ｓel(8)のうち、Ｈレベルとなる順序の起点が制御信号Ｓel(1)である場合、制御信号Ｓel(1)がＨレベルとなる期間を、他の制御信号がＨレベルとなる期間よりも長くしてもよい。
制御信号Ｓel(1)〜Ｓel(8)のうち、最初にＨレベルとなる制御信号の波形が鈍化しやしくなるためという理由のほか、プリチャージの有無による相違の影響を小さくするためである。詳細には、制御信号Ｓel(1)〜Ｓel(8)のうち、最初にＨレベルとなる制御信号によってデータ信号が分配される系列では、プリチャージがされない。プリチャージがされない系列にデータ信号を供給する期間を、プリチャージがされた系列にデータ信号を供給する期間よりも長くすることで、プリチャージの有無による相違の影響を小さくすることができるためである。
【００５２】
図１３は、本実施形態の優位性を説明するための比較例に係るデータ線駆動回路１６０の構成を示す図である。
比較例に係るデータ線駆動回路１６０においてもデマルチプレクサ１４０およびプリチャージ回路１５０を含む。比較例に係るデマルチプレクサ１４０は、本実施形態におけるデマルチプレクサ１４０と同じであるが、比較例に係るプリチャージ回路１５０は、本実施形態に係るプリチャージ回路１５０とは異なり、セレクターＳc1〜Ｓc8を有しない。比較例は、セレクターＳc1〜Ｓc8を有しないので、トランジスターＱ４１〜Ｑ４８のゲートノードＰsel(1)〜Ｐsel(8)には、本実施形態におけるセレクターＳc1〜Ｓc8で選択される信号に相当する制御信号が系列毎に供給される構成となっている。
【００５３】
比較例と本実施形態とでは、電気光学装置１００に設けられる端子（接続点）のうち、データ信号が供給されるノードＮ(1)〜Ｎ(n)の端子数は「ｎ」であるので、相違はない。また、制御信号Ｓel(1)〜Ｓel(8)については、信号数が「８」であるので、両端から供給する場合、端子として倍の「１６」が必要となるが、比較例と本実施形態とでは共通である。
しかしながら、比較例では、トランジスターＱ４１〜Ｑ４８のゲートノードＰsel(1)〜Ｐsel(8)に供給する制御信号数が「８」であるので、端子としては、両端から供給する場合には倍の「１６」が必要となる。
【００５４】
これに対し、本実施形態は、ゲートノードＰsel(1)〜Ｐsel(8)に制御信号を供給する必要がないので、１６個の端子は不要である。ただし、本実施形態では、セレクターＳc1〜Ｓc8への制御信号Ｐsel_EnbおよびＰsel_Enbxの２つの信号が必要となるので、端子としては、両端から供給する場合には倍の「４」が必要となる。なお、他の信号、例えば電圧Ｖpcgの信号や、走査線駆動回路１３０への制御信号等については、比較例と本実施形態とでは相違がないので、これらの制御信号の端子数は比較の対象から除外している。
したがって、本実施形態では、比較例に対し、端子については、ゲートノードＰsel(1)〜Ｐsel(8)に供給する制御信号の「１６」個分が減少し、制御信号Ｐsel_EnbおよびＰsel_Enbxの「４」個分が増加するので、結果的に「１２」個分削減することができる。
【００５５】
この端子の削減効果は、デマルチプレクサ１４０におけるデータ信号Ｖid(j)の分配数が増加すれば、より顕著となる。例えばデマルチプレクサ１４０においてデータ信号Ｖid(j)の分配数が「１６」である場合、結果的に２８（＝１６×２−４）個分削減することができる。また、例えば分配数が「２４」である場合、結果的に４４（＝２４×２−４）個分削減することができる。
【００５６】
電気光学装置１００には小型化が要求されるが、小型になれば、ＦＰＣ７４を接続するための十分な長さを確保することができなくなり、または、端子ピッチが狭くなり、必要な端子を配置することができなくなる。したがって、小型化が要求される電気光学装置１００において端子数の削減は重要な課題の一つである。本実施形態のように端子数を削減できる点は、小型化が要求される電気光学装置１００において大きな利点となる。
【００５７】
第２実施形態に係る電気光学装置１００について説明する。第２実施形態に係る電気光学装置１００が、第１実施形態と相違する点は、制御信号Ｐsel_EnbおよびＰsel_Enbxの波形である。
【００５８】
図１０は、第２実施形態における制御信号Ｐsel_EnbおよびＰsel_Enbxの波形例を示す図である。
図１０に示されるように、制御信号Ｐsel_Enbは、制御信号Ｓel(1)〜Ｓel(8)のうち、第１番目から第７番目までにＨレベルとなる期間に対応して、Ｈレベルとなり、その他の期間ではＬレベルとなる。
第２実施形態において、表示制御回路２００は、制御信号Ｐsel_EnbがＨレベルとなる期間を、制御信号Ｓel(1)〜Ｓel(8)でＨレベルとなる期間内において、系列毎に任意に狭めることが可能となっている。
【００５９】
なお、図１０において、制御信号Ｐsel_Enbは、制御信号Ｓel(1)〜Ｓel(7)がＨレベルとなるタイミングに対し、ある時間だけ遅延してＨレベルとなり、制御信号Ｓel(1)〜Ｓel(7)がＬレベルとなるタイミングに対して、ある時間だけ先行してＬレベルとなる例である。
また、図１０において、制御信号Ｓel(1)〜Ｓel(8)は、一水平走査期間（Ｈ）にわたって図７と同様に当該順でＨレベルとなる例であるが、図８および図９で説明したように、制御信号Ｓel(1)〜Ｓel(8)のうち、Ｈレベルとなる順序の起点は、一水平走査期間（Ｈ）毎にシフトする。
制御信号Ｐsel_Enbxが制御信号Ｐsel_Enbの論理レベルを反転した関係にある点は、第１実施形態と同様である。
【００６０】
第２実施形態において、第ｋ系列に対するプリチャージは、１つ前の第（ｋ−１）系列における制御信号Ｓel（k-1）がＨレベルであって、かつ、制御信号Ｐsel_EnbxがＨレベルである場合に実行される。
ここで、表示制御回路２００は、制御信号Ｐsel_EnbがＨレベルとなる期間のうち、例えば図１０において制御信号Ｓel(2)がＨレベルとなる期間よりも短くすると、第２系列のデータ線１４におけるデータ信号Ｖidの供給時間より、第３系列のデータ線１４へのプリチャージ時間を短くすることができる。
したがって、第２実施形態では、制御信号Ｐsel_EnbがＨレベルとなる期間を系列毎に設定することにより、データ線１４のプリチャージ時間を、系列毎に調整することが可能となる。
【００６１】
第３実施形態に係る電気光学装置１００について説明する。第３実施形態に係る電気光学装置１００が、第１実施形態と相違する点は、プリチャージ回路１５０におけるトランジスターＱ３１〜Ｑ３８のチャネル型である。
【００６２】
図１１は、第３実施形態に係る電気光学装置１００のうち、データ線駆動回路１６０を示す図である。
図１１に示されるように、第３実施形態では、データ線駆動回路１６０におけるプリチャージ回路１５０のうち、トランジスターＱ３１〜Ｑ３８がｎチャネル型からｐチャネル型に変更される。トランジスターＱ３１〜Ｑ３８は、Ｑ２１〜Ｑ２８とは排他的にオン／オフさせる必要がある。したがって、トランジスターＱ３１〜Ｑ３８がｎチャネル型である第１実施形態では、トランジスターＱ２１〜Ｑ２８のゲートノードに供給される制御信号Ｐsel_Enbの論理レベルを反転させた制御信号Ｐsel_EnbxがトランジスターＱ３１〜Ｑ３８のゲートノードに供給される。
これに対し、第３実施形態では、トランジスターＱ３１〜Ｑ３８がｐチャネル型であるので、トランジスターＱ２１〜Ｑ２８のゲートノードに供給される制御信号Ｐsel_EnbがトランジスターＱ３１〜Ｑ３８のゲートノードに供給される構成で済む。
したがって、第３実施形態に係る電気光学装置１００では、第１実施形態における制御信号Ｐsel_Enbxを供給する信号線が不要となるので、両端から供給する場合であれば、端子を第１実施形態と比較して、さらに「２」個削減することができる。
また、表示制御回路２００にとってみれば制御信号Ｐsel_Enbのみを供給すればよく、制御信号Ｐsel_Enbxの生成が不要となるので、その分、構成の簡易化を図ることができる。
【００６３】
第１乃至第３実施形態では、デマルチプレクサ１４０におけるデータ信号Ｖid(j)の分配数を「８」として説明したが、上述したように分配数が増加すれば、端子の削減効果がより顕著となる。
分配数については「２」以上であればよい。なお、分配数が「２」である場合、すなわち、グループが第１系列Ｓ１と第２系列Ｓ２とで構成される場合、セレクターＳc1は、制御信号Ｓel(2)またはトランジスターＱ４１をオフさせる信号のいずれかを、制御信号Ｐsel_Enbまたは／およびＰsel_Enbxにしたがって選択すればよい。
【００６４】
また、実施形態等では、電気光学装置１００を透過型として説明したが、反射型としてもよい。電気光学装置１００は、液晶表示装置に限られず、データ信号をデマルチプレクサ１４０によって分配するとともに、データ線１４をプリチャージする構成であれば、例えば有機ＥＬ装置にも適用可能である。
【００６５】
次に、実施形態等に係る透過型の電気光学装置１００を適用した電子機器について説明する。
【００６６】
図１２は、上述した電気光学装置１００をライトバルブとして用いた３板式の液晶プロジェクターの構成を示す図である。図１２に示されるように、液晶プロジェクター２１００は、電気光学装置１００Ｒ、１００Ｇおよび１００Ｂを備える。電気光学装置１００Ｒ、１００Ｇおよび１００Ｂは、実施形態等における電気光学装置１００と同様であり、上位回路から供給される、Ｒ、Ｇ、Ｂの各色に対応する映像データに基づいた透過像をそれぞれ生成する。
【００６７】
液晶プロジェクター２１００の内部には、ハロゲンランプ等の白色光源からなるランプユニット２１０２が設けられている。このランプユニット２１０２から射出された投射光は、内部に配置された３枚のミラー２１０６および２枚のダイクロイックミラー２１０８によって、赤、緑および青の３原色に分離される。このうち、赤の光は電気光学装置１００Ｒに、緑の光は電気光学装置１００Ｇに、青の光は電気光学装置１００Ｂに、それぞれ入射する。
なお、青の光路は、他の赤や緑と比較して長い。したがって、青の光は、光路での損失を防ぐために、入射レンズ２１２２、リレーレンズ２１２３および出射レンズ２１２４からなるリレーレンズ系２１２１を介して電気光学装置１００Ｂに導かれる。
【００６８】
電気光学装置１００Ｒは、赤色成分のデータ信号を、走査線駆動回路１３０およびデータ線駆動回路１６０によって画素回路１１０に供給する。電気光学装置１００Ｒにおいて、画素回路１１０毎にデータ信号が供給されると、当該画素回路１１０に含まれる液晶素子１２０が当該データ信号に応じた透過率となる。したがって、電気光学装置１００Ｒでは、入射した赤の光が画素毎に透過率が制御されるので、表示すべき画像のうち、赤の成分の透過像が生成されることになる。
同様に、電気光学装置１００Ｇおよび１００Ｂでは、緑成分のデータ信号および青成分のデータ信号が、画素回路１１０毎に供給されて、それぞれ表示すべき画像のうち、緑および青の成分の透過像が生成される。
【００６９】
電気光学装置１００Ｒ、１００Ｇおよび１００Ｂによってそれぞれ生成された各色の透過像は、ダイクロイックプリズム２１１２に３方向から入射する。そして、このダイクロイックプリズム２１１２において、ＲおよびＢの光は９０度に屈折する一方、Ｇの光は直進する。したがって、各色の画像が合成された後、スクリーン２１２０には、投射レンズ２１１４によってカラー画像が投射される。
なお、電気光学装置１００Ｒ、１００Ｂによる各透過像は、ダイクロイックプリズム２１１２により反射した後に投射されるのに対し、電気光学装置１００Ｇの透過像は直進して投射される。したがって、電気光学装置１００Ｒ、１００Ｂによる各透過像は、電気光学装置１００Ｇの透過像に対して左右反転した関係となっている。
【符号の説明】
【００７０】
１…表示モジュール、１０…表示領域、１２…走査線、１４…データ線、１００…電気光学装置、１１０…画素回路、１１６…トランジスター、１２０…液晶素子、１３０…走査線駆動回路、１４０…デマルチプレクサ、１５０…プリチャージ回路、１６０…データ線駆動回路、１８０…制御信号線。
【図１】
2020190604.tif 000003
【図２】
2020190604.tif 000004
【図３】
2020190604.tif 000005
【図４】
2020190604.tif 000006
【図５】
2020190604.tif 000007
【図６】
2020190604.tif 000008
【図７】
2020190604.tif 000009
【図８】
2020190604.tif 000010
【図９】
2020190604.tif 000011
【図１０】
2020190604.tif 000012
【図１１】
2020190604.tif 000013
【図１２】
2020190604.tif 000014
【図１３】
2020190604.tif 000015